【手続補正書】
【提出日】平成17年7月25日(2005.7.25)
【手続補正１】
【補正対象書類名】明細書
【補正対象項目名】特許請求の範囲
【補正方法】変更
【補正の内容】
【特許請求の範囲】
【請求項１】
遊技者が所定の遊技を行うことが可能な遊技機であって、
制御を行う際に発生する変動データを記憶する遊技制御用変動データ記憶手段を有し、遊技の進行を制御する遊技制御用マイクロコンピュータと、
制御を行う際に発生する変動データを記憶する払出制御用変動データ記憶手段を有し、遊技媒体の払出の制御を行う払出制御用マイクロコンピュータと、
遊技機への電力供給が停止していても前記遊技制御用変動データ記憶手段および前記払出制御用変動データ記憶手段の記憶内容を所定期間保持させることが可能な記憶内容保持手段と、
遊技機で使用される所定の電源の状態を監視して電源断の発生を検出したときに検出信号を出力する電源監視手段と、
前記遊技制御用マイクロコンピュータが信号を出力するための遊技制御用出力ポートと、
前記払出制御用マイクロコンピュータが信号を出力するための払出制御用出力ポートと、
前記遊技制御用マイクロコンピュータが搭載された遊技制御基板および前記払出制御用マイクロコンピュータが搭載された払出制御基板で用いられる電圧を作成する電源基板とを含み、
前記遊技制御用マイクロコンピュータは、前記検出信号の入力に応じて、制御状態を前記遊技制御用変動データ記憶手段に保存させるための処理である遊技制御用電力供給停止時処理を実行した後に待機状態に移行し、前記遊技制御用電力供給停止時処理において、前記遊技制御用出力ポートに出力された信号をクリアする出力ポートクリア処理を行い、
前記払出制御用マイクロコンピュータは、前記検出信号の入力に応じて、制御状態を前記払出制御用変動データ記憶手段に保存させるための処理である払出制御用電力供給停止時処理を実行した後に待機状態に移行し、前記払出制御用電力供給停止時処理において、前記払出制御用出力ポートに出力された信号をクリアする出力ポートクリア処理を行い、
前記電源監視手段が前記検出信号を出力した後の所定期間経過後に電力供給が停止していないときに、前記待機状態から復帰させるための復帰信号を出力する復帰信号出力手段を備え、
前記電源監視手段は前記電源基板に設けられ、単一の前記電源監視手段から前記遊技制御用マイクロコンピュータおよび前記払出制御用マイクロコンピュータのそれぞれに前記検出信号が分岐して出力される
ことを特徴とする遊技機。
【請求項２】
払出制御用マイクロコンピュータは、遊技媒体を払い出す払出手段を制御し、
前記払出制御用マイクロコンピュータは、出力ポートクリア処理によって、前記払出手段が遊技媒体を払い出しているときには払い出しを停止させる
請求項１記載の遊技機。
【請求項３】
遊技制御用マイクロコンピュータは、開状態と閉状態とのいずれかに制御可能な可変入賞球装置を制御し、
前記遊技制御用マイクロコンピュータは、出力ポートクリア処理によって、前記可変入賞球装置が前記開状態であるときには前記閉状態に制御する
請求項１または請求項２記載の遊技機。
【請求項４】
遊技媒体を検出するための遊技媒体検出手段を備え、
払出制御用マイクロコンピュータは、電源監視手段が検出信号を出力したときに、前記遊技媒体検出手段からの検出信号の入力処理を所定期間実行した後、払出制御用電力供給停止時処理を行う
請求項１から請求項３のうちのいずれかに記載の遊技機。
【請求項５】
遊技媒体検出手段には、遊技媒体の払い出しを行う払出手段によって払い出された遊技媒体を検出するための払出検出手段が含まれる
請求項４記載の遊技機。
【請求項６】
払出制御用マイクロコンピュータは、電源監視手段が検出信号を出力したときに、遊技媒体検出手段からの検出信号の入力処理を実行する前に、出力ポートクリア処理を行う
請求項４または請求項５記載の遊技機。
【請求項７】
復帰信号出力手段は、遊技制御用マイクロコンピュータに復帰信号を出力する第１の復帰信号出力手段と、払出制御用マイクロコンピュータに復帰信号を出力する第２の復帰信号出力手段とを含み、
前記第２の復帰信号出力手段が前記払出制御用マイクロコンピュータに復帰信号を出力した後に、前記第１の復帰信号出力手段が前記遊技制御用マイクロコンピュータに復帰信号を出力する
請求項１から請求項６のうちのいずれかに記載の遊技機。
【請求項８】
遊技機への電力供給が開始されたときに、遊技制御用マイクロコンピュータおよび払出制御用マイクロコンピュータに対して動作可能状態にするためのリセット信号を出力するリセット手段と、
遊技媒体を検出するための遊技媒体検出手段とを備え、
電源監視手段は、前記遊技媒体検出手段に供給される電圧よりも高い電圧である第１の検出電圧に低下したときに電源断が発生したとして検出信号を出力し、
前記リセット手段は、前記電源監視手段が監視する電圧と同一の電圧を監視し、該電圧が、前記電源監視手段から検出信号が出力されるときの第１の検出電圧よりも低く、遊技制御用マイクロコンピュータおよび払出制御用マイクロコンピュータの駆動電源電圧よりも高く設定され、前記電源監視手段が前記検出信号を出力した後に前記遊技制御用マイクロコンピュータおよび前記払出制御用マイクロコンピュータが遊技制御用電力供給停止時処理および払出制御用電力供給停止時処理を完了するように設定された第２の検出電圧になったときに、前記遊技制御用マイクロコンピュータおよび前記払出制御用マイクロコンピュータを動作停止状態とするための信号を出力する
請求項１から請求項７のうちのいずれかに記載の遊技機。
【手続補正２】
【補正対象書類名】明細書
【補正対象項目名】００１１
【補正方法】変更
【補正の内容】
【００１１】
【課題を解決するための手段】
本発明による遊技機は、遊技者が所定の遊技を行うことが可能な遊技機であって、制御を行う際に発生する変動データを記憶する遊技制御用変動データ記憶手段を有し、遊技の進行を制御する遊技制御用マイクロコンピュータと、制御を行う際に発生する変動データを記憶する払出制御用変動データ記憶手段を有し、遊技媒体の払出の制御を行う払出制御用マイクロコンピュータと、遊技機への電力供給が停止していても遊技制御用変動データ記憶手段および払出制御用変動データ記憶手段の記憶内容を所定期間保持させることが可能な記憶内容保持手段と、遊技機で使用される所定の電源の状態を監視して電源断の発生を検出したときに検出信号を出力する電源監視手段と、遊技制御用マイクロコンピュータが信号を出力するための遊技制御用出力ポートと、払出制御用マイクロコンピュータが信号を出力するための払出制御用出力ポートと、遊技制御用マイクロコンピュータが搭載された遊技制御基板および払出制御用マイクロコンピュータが搭載された払出制御基板で用いられる電圧を作成する電源基板とを含み、遊技制御用マイクロコンピュータは、検出信号の入力に応じて、制御状態を遊技制御用変動データ記憶手段に保存させるための処理である遊技制御用電力供給停止時処理を実行した後に待機状態に移行し、遊技制御用電力供給停止時処理において、遊技制御用出力ポートに出力された信号をクリアする出力ポートクリア処理を行い、払出制御用マイクロコンピュータは、検出信号の入力に応じて、制御状態を払出制御用変動データ記憶手段に保存させるための処理である払出制御用電力供給停止時処理を実行した後に待機状態に移行し、払出制御用電力供給停止時処理において、払出制御用出力ポートに出力された信号をクリアする出力ポートクリア処理を行い、電源監視手段が検出信号を出力した後の所定期間経過後に電力供給が停止していないときに、待機状態から復帰させるための復帰信号を出力する復帰信号出力手段を備え、電源監視手段は電源基板に設けられ、単一の電源監視手段から遊技制御用マイクロコンピュータおよび払出制御用マイクロコンピュータのそれぞれに検出信号が分岐して出力されることを特徴とするものである。
【手続補正３】
【補正対象書類名】明細書
【補正対象項目名】００１２
【補正方法】変更
【補正の内容】
【００１２】
払出制御用マイクロコンピュータは、遊技媒体を払い出す払出手段を制御し、払出制御用マイクロコンピュータは、出力ポートクリア処理によって、払出手段が遊技媒体を払い出しているときには払い出しを停止させることが好ましい。
【手続補正４】
【補正対象書類名】明細書
【補正対象項目名】００１３
【補正方法】変更
【補正の内容】
【００１３】
遊技制御用マイクロコンピュータは、開状態と閉状態とのいずれかに制御可能な可変入賞球装置を制御し、遊技制御用マイクロコンピュータは、出力ポートクリア処理によって、可変入賞球装置が開状態であるときには閉状態に制御することが好ましい。
【手続補正５】
【補正対象書類名】明細書
【補正対象項目名】００１４
【補正方法】変更
【補正の内容】
【００１４】
遊技媒体を検出するための遊技媒体検出手段を備え、払出制御用マイクロコンピュータは、電源監視手段が検出信号を出力したときに、遊技媒体検出手段からの検出信号の入力処理を所定期間実行した後、払出制御用電力供給停止時処理を行うことが好ましい。
【手続補正６】
【補正対象書類名】明細書
【補正対象項目名】００１６
【補正方法】変更
【補正の内容】
【００１６】
払出制御用マイクロコンピュータは、電源監視手段が検出信号を出力したときに、遊技媒体検出手段からの検出信号の入力処理を実行する前に、出力ポートクリア処理を行うようにしてもよい。
【手続補正７】
【補正対象書類名】明細書
【補正対象項目名】００１７
【補正方法】変更
【補正の内容】
【００１７】
復帰信号出力手段は、遊技制御用マイクロコンピュータに復帰信号を出力する第１の復帰信号出力手段と、払出制御用マイクロコンピュータに復帰信号を出力する第２の復帰信号出力手段とを含み、第２の復帰信号出力手段が払出制御用マイクロコンピュータに復帰信号を出力した後に、第１の復帰信号出力手段が遊技制御用マイクロコンピュータに復帰信号を出力するようにしてもよい。
【手続補正８】
【補正対象書類名】明細書
【補正対象項目名】００１８
【補正方法】変更
【補正の内容】
【００１８】
遊技機への電力供給が開始されたときに、遊技制御用マイクロコンピュータおよび払出制御用マイクロコンピュータに対して動作可能状態にするためのリセット信号を出力するリセット手段と、遊技媒体を検出するための遊技媒体検出手段とを備え、電源監視手段は、遊技媒体検出手段に供給される電圧よりも高い電圧である第１の検出電圧に低下したときに電源断が発生したとして検出信号を出力し、リセット手段は、電源監視手段が監視する電圧と同一の電圧を監視し、該電圧が、電源監視手段から検出信号が出力されるときの第１の検出電圧よりも低く、遊技制御用マイクロコンピュータおよび払出制御用マイクロコンピュータの駆動電源電圧よりも高く設定され、電源監視手段が検出信号を出力した後に遊技制御用マイクロコンピュータおよび払出制御用マイクロコンピュータが遊技制御用電力供給停止時処理および払出制御用電力供給停止時処理を完了するように設定された第２の検出電圧になったときに、遊技制御用マイクロコンピュータおよび払出制御用マイクロコンピュータを動作停止状態とするための信号を出力するようにしてもよい。
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】０３７１
【補正方法】変更
【補正の内容】
【０３７１】
【発明の効果】
以上のように、本発明によれば、遊技機を、遊技制御用マイクロコンピュータおよび払出制御用マイクロコンピュータが、電源監視手段によって所定の電源の状態があらかじめ定められた所定の状態になったことが検出された場合に、制御状態の保存に関わる電力供給停止時処理を行った後に待機状態に移行し、電力供給停止時処理において、出力ポートに出力されたデータをクリアする出力ポートクリア処理を行い、電源監視手段によって所定の状態になったことが検出された後の所定期間経過後に電力供給が停止していない場合に待機状態から復帰させるための復帰信号を出力可能な復帰信号出力手段を備えたので、各電気部品の作動状態が保存された遊技状態と矛盾しないようにすることができ、適正な制御状態を保存することが可能となる。また、復帰信号によって遊技制御用マイクロコンピュータおよび払出制御用マイクロコンピュータを制御実行状態に復帰させることが可能になり、その結果、ごく短時間で復旧する電源の瞬断等が生じても制御に支障を来すことがないという効果を得ることができる。また、電源監視手段は電源基板に設けられ、単一の電源監視手段から遊技制御用マイクロコンピュータおよび払出制御用マイクロコンピュータのそれぞれに検出信号が分岐して出力されるので、電源監視手段から複数のマイクロコンピュータに検出信号を供給することができ、検出信号を必要とするマイクロコンピュータが幾つあっても電源監視手段は１つ設けられていればよいので、各マイクロコンピュータが復帰制御を行っても遊技機のコストはさほど上昇しない。
【手続補正１３】
【補正対象書類名】明細書
【補正対象項目名】０３７２
【補正方法】変更
【補正の内容】
【０３７２】
払出制御用マイクロコンピュータが、遊技媒体を払い出す払出手段を制御し、払出制御用マイクロコンピュータが出力ポートクリア処理によって、払出手段が遊技媒体を払い出しているときには払い出しを停止させるように構成されている場合には、不要な払い出しがなされてしまうことが効果的に防止される。
【手続補正１４】
【補正対象書類名】明細書
【補正対象項目名】０３７３
【補正方法】変更
【補正の内容】
【０３７３】
遊技制御用マイクロコンピュータが、開状態と閉状態とのいずれかに制御可能な可変入賞球装置を制御し、遊技制御用マイクロコンピュータが出力ポートクリア処理によって可変入賞球装置が開状態であるときには閉状態に制御するように構成されている場合には、可変入賞球装置が開放したままになるようなことがない。
【手続補正１５】
【補正対象書類名】明細書
【補正対象項目名】０３７４
【補正方法】変更
【補正の内容】
【０３７４】
遊技媒体を検出するための遊技媒体検出手段を備え、遊技制御用マイクロコンピュータが、電源監視手段が検出信号を出力したときに、遊技媒体検出手段からの検出信号の入力処理を所定の検出期間実行した後、払出制御用電力供給停止時処理を行うとした場合には、検出すべき遊技媒体を検出することができ、遊技媒体数に関する適正な制御状態をバックアップ記憶することができる。
【手続補正１６】
【補正対象書類名】明細書
【補正対象項目名】０３７６
【補正方法】変更
【補正の内容】
【０３７６】
払出制御用マイクロコンピュータが、電源監視手段が検出信号を出力したときに、遊技媒体検出手段からの検出信号の入力処理を実行する前に、出力ポートクリア処理を行うとした場合には、電気部品の動作を停止したあとに、遊技媒体検出手段からの入力処理を実行することができるため、適正な制御状態をバックアップ記憶することが可能となる。
【手続補正１７】
【補正対象書類名】明細書
【補正対象項目名】０３７７
【補正方法】削除
【補正の内容】
【手続補正１８】
【補正対象書類名】明細書
【補正対象項目名】０３７８
【補正方法】変更
【補正の内容】
【０３７８】
復帰信号出力手段は、遊技制御用マイクロコンピュータに復帰信号を出力する第１の復帰信号出力手段と、払出制御用マイクロコンピュータに復帰信号を出力する第２の復帰信号出力手段とを含み、第２の復帰信号出力手段が払出制御用マイクロコンピュータに復帰信号を出力した後に、第１の復帰信号出力手段が遊技制御用マイクロコンピュータに復帰信号を出力するように構成した場合には、遊技制御用マイクロコンピュータおよび払出制御用マイクロコンピュータの起動の順序付けを簡易に実現することができる。
【手続補正１９】
【補正対象書類名】明細書
【補正対象項目名】０３７９
【補正方法】変更
【補正の内容】
【０３７９】
電源監視手段が、遊技媒体検出手段に供給される電圧よりも高い電圧である第１の検出電圧に低下したときに電源断が発生したとして検出信号を出力するように構成されているので、電源瞬断時のスイッチオン誤検出を防止することができる。また、リセット手段が、電源監視手段が監視する電圧と同一の電圧を監視し、この電圧が電源監視手段から検出信号が出力されるときの第１の検出電圧よりも低く、遊技制御用マイクロコンピュータおよび払出制御用マイクロコンピュータの駆動電源電圧よりも高く設定され、電源監視手段が検出信号を出力した後に遊技制御用マイクロコンピュータおよび払出制御用マイクロコンピュータが遊技制御用電力供給停止時処理および払出制御用電力供給停止時処理を完了するように設定された第２の検出電圧になったときに、遊技制御用マイクロコンピュータおよび払出制御用マイクロコンピュータを動作停止状態とするための信号を出力するように構成されているので、電源監視手段が検出信号を出力するタイミングとリセット手段が動作停止状態とするための信号を出力するタイミングとの差を所望の所定期間に確実に設定することができる。
【手続補正２０】
【補正対象書類名】明細書
【補正対象項目名】０３８０
【補正方法】削除
【補正の内容】
【手続補正２１】
【補正対象書類名】明細書
【補正対象項目名】０３８１
【補正方法】削除
【補正の内容】